(57)【要約】  【課題】加湿能力を増大させ、省エネ型のコンパクトな形状の加湿装置を提供する。  【解決手段】装置本体の内部が中仕切壁によって、下側に加湿フィルタを収容する加湿室が形成され、上側に、中仕切壁から縦方向に延びる通路仕切板によって送風機を収納する送風機室と、加湿室からの空気を吹出口に導く吹出し側空気通路とに区画形成される。装置本体の外側であって加湿室の左右方向で一側に給水タンクが着脱自在に配置される。中仕切壁および通路仕切板によって、装置本体内部が送風機室、加湿室、および吹出し側通路が配列され、その外側では加湿室の左右方向で一側に給水タンクが着脱自在に配置された構成となっているので、無駄のない配置でコンパクトな加湿装置となる。さらに、四角筒状の給水タンクとすることで、直方体状の加湿フィルタの左右幅を大きくし、加湿能力を増大させる。【選択図】  図２
0003115357.tif 000002
【実用新案登録請求の範囲】
【請求項１】
装置本体に、水を貯める給水タンクと、給水タンクからの水を蒸発させる加湿フィルタと、加湿フィルタの水分を気化させるための空気を送る送風機と、気化した水分を含む空気を放出する吹出口を備えた加湿装置において、装置本体の内部が中仕切壁によって上下に区画され、該中仕切壁の下側には加湿フィルタを収容する加湿室が形成され、中仕切壁の上側は、該中仕切壁から縦方向に延びる通路仕切板によって送風機を収納する送風機室と、加湿室からの空気を吹出口に導く吹出し側空気通路とに区画形成され、前記装置本体の外側であって加湿室の左右方向で一側に給水タンクが着脱自在に配置されたことを特徴とする加湿装置。
【請求項２】
装置本体はその水平方向の断面が長方形に形成され、給水タンクは、装置本体と面一になる前後幅を有する四角筒状に形成され、前記加湿フィルタが直方体形状に形成されて前記給水タンクに隣接して配置されたことを特徴とする請求項１に記載の加湿装置。
【請求項３】
給水タンクからの水を一時的に貯えて加湿フィルタに供給する水受けトレーが設けられ、該水受けトレーは、加湿フィルタを収容するフィルタ収容部と、その一側に隣接して形成されトレー収納姿勢で装置本体から露出するタンク収容部とを備え、装置本体のタンク側の側面板の下部に形成された開口を通して装置本体の加湿室に引き出し自在に収容されることを特徴とする請求項１又は２に記載の加湿装置。
【請求項４】
給水タンクは、透光性材料により形成され、その表面に凹凸状が連続的に形成されていることを特徴とする請求項１、２又は３に記載の加湿装置。
【考案の詳細な説明】
【技術分野】
【０００１】
本考案は、水を蒸発させる加湿フィルタを備えた気化式の加湿装置に関するものである。
【背景技術】
【０００２】
従来の加湿装置は、例えば特許文献１に示されるように、水槽に下部が浸るように加湿フィルタ（文献では気化エレメントと称している）が配設され、この加湿フィルタの毛細管現象によって水を全面に行き渡るように吸い上げる一方、送風ファンの運転により吸込口から室内の乾燥した空気を吸込み、この乾燥した空気を加湿フィルタを通すことで水分を含ませ、装置本体の上面板側の吹出口から外部に放出させることによって、室内の加湿を行うようになっている。
【特許文献１】特開２００２−２９５８７２号
【考案の開示】
【考案が解決しようとする課題】
【０００３】
ところで、近年では、加湿装置の小型化と加湿能力を向上させる要望がなさえている。しかし、特許文献１に示す加湿装置では、シロッコファン等の送風ファンの軸方向に加湿フィルタが配置されており、全体を小型化には限界がある。
【０００４】
全体の小型化を図るため、送風機の下側に加湿フィルタを配置し、送風機によって送られた空気を下方の加湿フィルタを通して装置本体の上面板側の吹出口から放出する構成も提案されているが、加湿フィルタの面積を大きくとれず、加湿能力に難点があった。
【０００５】
本考案は、上記に鑑み、加湿能力を増大させ、省エネタイプでコンパクトな形状の加湿装置の提供を目的としている。
【課題を解決するための手段】
【０００６】
上記目的を達成するために、本考案は、装置本体に、水を貯める給水タンクと、給水タンクからの水を蒸発させる加湿フィルタと、加湿フィルタの水分を気化させるための空気を送る送風機と、気化した水分を含む空気を放出する吹出口を備えた加湿装置において、装置本体の内部が中仕切壁によって上下に区画され、該中仕切壁の下側には加湿フィルタを収容する加湿室が形成され、中仕切壁の上側は、該中仕切壁から縦方向に延びる通路仕切板によって送風機を収納する送風機室と、加湿室からの空気を吹出口に導く吹出し側空気通路とに区画形成され、前記装置本体の外側であって加湿室の左右方向で一側に給水タンクが着脱自在に配置されたことを特徴とする。
【０００７】
上記構成によると、中仕切壁および通路仕切板によって、装置本体内部が送風機室、加湿室、および吹出し側通路が配列され、その外側では加湿室の左右方向で一側に給水タンクが着脱自在に配置された構成となっているので、無駄のない配置および構成でコンパクトな加湿装置を提供することができる。
【０００８】
さらに、装置本体がその水平方向の断面が長方形に形成され、給水タンクが、装置本体と面一になる前後幅を有する四角筒状に形成され、加湿フィルタが直方体形状に形成されて前記給水タンクに隣接して配置された構成とすることができる。
【０００９】
上記構成によると、給水タンクが四角筒状に形成されているので、円筒形状の給水タンクと同じ容量を確保する場合に比べて横幅を小さくすることができ、その分、加湿フィルタの横幅を大きく取れる。したがって、加湿装置の横幅を変えずに、加湿フィルタの加湿能力を増大させることができる。逆に、加湿能力を一定に保つ場合、円筒形の給水タンクを配置する場合に比べて装置全体の横幅を小さくすることができる。
【００１０】
また、給水タンクからの水を一時的に貯えて加湿フィルタに供給する水受けトレーが設けられ、該水受けトレーは、加湿フィルタを収容するフィルタ収容部と、その一側に隣接して形成されトレー収納姿勢で装置本体から露出するタンク収容部とを備え、装置本体のタンク側の側面板の下部に形成された開口を通して装置本体の加湿室に引き出し自在に収容されることを特徴としている。
【００１１】
上記構成によると、水受けトレーを装置本体の加湿室に左右側方から引き出し自在としているので、水供給系統の構成部品のメンテナンスが容易に行える。しかも、加湿フィルタの左右幅が大きくとれ、加湿能力を増大させることができる。
【００１２】
なお、給水タンクは、透光性材料により形成され、その表面に凹凸が連続的に形成されたものを採用することができる。上記構成によると、表面に凹凸が連続的に形成されているので、剛性を確保することができる。しかも、給水タンクを透光性の合成樹脂材料によりインジェクション成形やブロー成形で成形する場合、素材内部に発生する可能性のある気泡の存在も連続する凹凸が乱反射することにより見えなくするので、外観的にも優れた給水タンクを提供することができる。
【考案の効果】
【００１３】
以上のとおり、本考案によると、給水タンクを四角筒状に形成しているので、円筒形の給水タンクに比べて横幅を小さくすることができ、その分、加湿フィルタの横幅を大きくして加湿能力を増大させることができる。また、逆に、加湿能力を一定に保つ場合、円筒形の給水タンクを配置する場合に比べて装置全体の横幅を小さくすることができる。
【考案を実施するための最良の形態】
【００１４】
以下、本考案に係る加湿装置の実施形態を図面に基づいて説明する。図１は加湿装置の正面側から見た外観斜視図、図２は同じく加湿装置の各構成部品を取り外す状態を背面側から見た分解斜視図、図３は加湿装置の背面側ケーシングを取り外した状態を背面側から見た斜視図、図４は同じく加湿装置の背面側ケーシングの一部を切欠いて送風路を背面側から見た斜視図、図５は同じく加湿装置のケーシングを取り外して送風路を背面側から見た斜視図、図６（ａ）は給水タンクおよび加湿フィルタを搭載した水受けトレーの平面図、（ｂ）は従来の円筒形の給水タンクを使用した水受けトレーの平面図である。
【００１５】
図に示すように、加湿装置１は、箱形の装置本体２と、装置本体内に設けられた送風機４と、装置本体２に隣接して配置された給水タンク５と、装置本体に引き出し自在に設けられた水受けトレー６と、水受けトレー６に設置された気化式の加湿フィルタ７とを備えている。
【００１６】
この加湿装置では、給水タンク５内の水が水受けトレー６から加湿フィルタ７に供給され、該加湿フィルタ７で水を蒸発させる一方、送風機４により吸込口８から吸い込まれた空気を送風路９の途中の加湿室２ａ内で加湿フィルタ７を通し、ここで気化した水分を含む空気を吹出口１０から室内に放出するようになっている。
【００１７】
装置本体２は、前面部分並びに側面および底面の前部分の外郭を担う前面板１２と、背面部分並びに側面および底面の後部分の外郭を担う背面板１３と、タンク側の側面部の外郭を担う側面板１４と、上面の外郭を担う上面板１５とから水平方向の断面が長方形で前後方向の幅が小さい箱形に形成されてなる。
【００１８】
装置本体２には、その内部を上下に仕切る中仕切壁１８が設けられる。中仕切壁１８の下側には加湿フィルタ７を収容する加湿室２ａが形成される。また、中仕切壁１８の上側には、給水タンク５の収容位置と反対側の端部において該中仕切壁１８から縦方向に延びる通路仕切板１８ｂによって、送風機４を収納する送風機室２ｂと、加湿室２ａからの空気を吹出口１０に導く吹出し側空気通路９ｂとが区画形成される。
【００１９】
吸込口８は、背面板１３に形成され、吹出口１０は上面板１５の一側であって給水タンク５の配置側と反対側に形成される。そして、背面側から吸い込んだ空気を送風機室２ｂから加湿室２ａを通し、吹出し側空気通路９ｂを上昇させて上面板１５の吹出口１０から上方に放出するようにしている。
【００２０】
送風機室２ｂは、その前後方向で中央位置に送風機４のファン４ｂを収容するハウジングの一部を構成する前後仕切部１８ｃが形成される。ハウジング１９は、装置本体の前面板１２と、前後仕切部１８ｃと、前記中仕切壁１８とによって区画形成され、ハウジングの下方の給水タンク側には加湿室２ａと連通する空気導入口２１が形成される。
【００２１】
加湿室２ａには、水受けトレー６が収容される。水受けトレー６は、給水タンク５からの水を一時的に貯えて加湿フィルタ７に供給する上面開放の箱型形状のもので、タンク側の側面板１４の下部に形成された開口１７を通して装置本体の加湿室２ａに側方から引き出し自在に収容される。
【００２２】
この水受けトレー６の前後方向の中央位置には、図６に示すように、直方体状の加湿フィルタ７が着脱自在に収容される。そして、加湿フィルタ７の前面側および背面側には、空気の流れ方向で上流側の空気通路２３および下流側の空気通路２４が形成される。上流側空気通路２３は、前記送風機室２ｂの空気導入口２１に連通され、下流側の空気通路２４は、装置本体の給水タンクと反対側の端部において中仕切壁１８に形成された空気導出口２２を介して、吹出し側の空気通路９ｂに連通される。したがって、空気導入口２１と空気導出口２２とは加湿フィルタ７に対して対角上に配置された構成とされる。図６（ａ）に空気導入口２１と空気導出口２２の位置を２点鎖線で示す。
【００２３】
また、吸込口８の中央部には、室内の空気の状況を検出する環境センサとして、温度を検出する温度センサ２７及び湿度を検出する湿度センサ２８が配置される。これら温度センサ２７および湿度センサ２８は、吸込口８の中央軸方向に配置された送風機４のモータ取付アングル２９に取り付けられる。
【００２４】
送風機４は、図３に示すように、モータ４ａおよびファン４ｂから構成され、モータ４ａが前後仕切部１８ｃの開口部に差し渡された取付アングル２９に取付固定される。モータ軸に取り付けられるファン４ｂは、シロッコファンであって、装置本体２の前側に位置するハウジング内に収容され、軸方向から吸い込んだ空気を半径方向に外側に吹出すようになっている。
【００２５】
取付アングル２９のモータ固定側と反対側の面には、センサを収容する収容箱３０が一体形成される。収容箱３０は、吸込口８側が開放した直方体形状であり、内部に温度センサ２７および湿度センサ２８を収容可能とされ、収容箱３０の貫通穴（図示せず）を通って配線が外部に引き出される。引き出された配線は取付アングル２９に沿って配線されて装置本体上部の操作部３２の制御基板（図示略）に結線される。
【００２６】
また、吸込口８は、背面板１３に形成された桝目状の開口を有するフィルタ部３３と、このフィルタ部３３に着脱自在に装着される同じく桝目状の開口を有するフィルタカバー３４と、前記フィルタ部３３とフィルタカバー３４との間に介在された繊維状フィルタ３５とを備え、温度センサ２７や湿度センサ２８に埃が付着するのを防止できるようになっている。
【００２７】
さらに、本実施形態では、背面板１３のフィルタ部３３の前記センサ対向面３６の開口度が他の部分の開口度に比べて小さく設定され、センサに埃が付着するのを極力回避できるように設定されている。また、このようなセンサに対向する対向面３６の大きさは、前記温度センサ２７や湿度センサ２８を装着する収容箱３０の開口部の大きさよりも大きく設定され、温度センサ２７や湿度センサ２８に埃が付着しないように設定される。
【００２８】
なお、図示しないが、送風機室２ｂに吸込口８から吸込んだ空気を加熱する加熱体を設け、加温された空気を加湿フィルタ７に送ることにより加湿能力を向上させるようにしてもよい。
【００２９】
また、吹出し側の通路９ｂには、吹出口１０の近傍で、プラスイオンとしてＨ+（Ｈ2Ｏ）m（ｍは任意の自然数）とマイナスイオンとしてＯ2−（Ｈ2Ｏ）n（ｎは任意の自然数）を発生するイオン発生装置３８が設けられ、室内にイオンを発生させて除菌などを行うことができるようになっている。空気中にＨ+（Ｈ2Ｏ）mとＯ2−（Ｈ2Ｏ）nの両方を放出させることにより、これらのイオンが空気中の浮遊カビ菌やウィルスの周りを取り囲み、その際生成される活性種の水酸基ラジカル（・ＯＨ）の作用により浮遊カビ菌等を殺菌・不活化することが可能となる。
【００３０】
さらに詳述すると、イオン発生装置３８の電極間に交流電圧を印加することにより、空気中の酸素分子ないしは水分子が放電によって生成された電子からエネルギーを受けてイオン化し、Ｈ+（Ｈ2Ｏ）m（ｍは任意の自然数）とＯ2−（Ｈ2Ｏ）n（ｎは任意の自然数）のイオンを生成し、これらをファン等により空間に放出させる。これらＨ+（Ｈ2Ｏ）m及びＯ2−（Ｈ2Ｏ）nは、浮遊菌の表面に付着し、化学反応して活性種であるＨ2Ｏ2または（・ＯＨ）を生成する。Ｈ2Ｏ2または（・ＯＨ）は、極めて強力な活性を示すため、これらにより、空気中の浮遊細菌を取り囲んで殺菌・不活化することができる。ここで、（・ＯＨ）は活性種の一種であり、ラジカルのＯＨを示している。
【００３１】
活性種である過酸化水素Ｈ2Ｏ2または水酸基ラジカル（・ＯＨ）は、有害物質を酸化若しくは分解して、ホルムアルデヒドやアンモニアなどの化学物質を、二酸化炭素や、水、窒素などの無害な物質に変換することにより、実質的に無害化することが可能である。
【００３２】
次に、加湿フィルタ７に水を供給する水供給系統について説明すると、給水タンク５、水受けトレー６、および加湿フィルタ７は、装置本体２に着脱自在に装着される態様となっており、これにより水供給系統の清掃メンテナンスも容易に行えるようになっている。
【００３３】
また、水受けトレー６は、図６に示すように、上面が開放した箱型形状とされ、加湿フィルタ７を収容するフィルタ収容部６ａと、その一側に隣接してトレー収納姿勢で装置本体から露出するタンク収容部６ｂとを備えている。タンク収容部６ｂは、上面が開放し、その開放部に給水タンク５が上方から着脱自在に装着される。
【００３４】
そして、タンク収容部６ｂの底面には給水タンク５の弁機構（図示略）に対向して受け部が突出形成され、給水タンク５の弁機構を開放して水受けトレー６に水を一時的に貯めることができるようになっている。
【００３５】
給水タンク５は、図１および図２に示すように、装置本体２とほぼ面一になる前後幅を有する略四角筒状の透光性の容器から構成され、下部開口に弁機構付きのタンクキャップ３９が着脱自在に装着され、また、タンクキャップ３９と反対側の面にはタンク把手４０が嵌着されている。
【００３６】
給水タンク５の成形は、例えば、ＰＥＴ（ポリエチレンテレフタレート）、ポリプロピレン等の合成樹脂素材を使用してブロー成形等により成形される。タンク表面には垂直断面が連続する凹凸波形形状に形成される。この連続する凹凸は機械的強度を向上させると共に傷や成形時に気泡が混入したとしても乱反射により見えにくくし、外観不良を低減することができる。
【００３７】
加湿フィルタ７は、例えば、直方体状の箱形の枠体に不織布等からなるフィルタを取付けたものであって、加湿フィルタ７を水受けトレー６内の水に浸すことにより、フィルタの毛細管現象が働く、フィルタ全面に水が行き渡るようになっている。この加湿フィルタ７は、図２および図６に示すように、給水タンクに隣接して配置される。
【００３８】
図７は装置本体側のタンク保持機構を示す斜視図、図８は同じく水受けトレーの下部保持機構を示す斜視図、図９は給水タンクの下部保持機構を示す斜視図、図１０は給水タンクの上部保持機構を示す斜視図、図１１は同じく給水タンクの上部保持機構を示す斜視図である。
【００３９】
図７ないし図１１に示すように、縦長の給水タンク５の転倒を防止するために、給水タンク５の上下にタンク保持機構５０、５１が設けられている。下側の保持機構５０は、図７ないし図９に示すように、装置本体２の前面板１２および背面板１３の端部内側に本体側位置決め突起５２が形成され、さらに、水受けトレー６のタンク収納部６ｂの前後壁には、装置本体への収納姿勢で前記位置決め用突起５２の下方位置で、内方に突出するトレー側位置決め突起５３が形成され、これら位置決め突起５２、５３に上方から係脱自在に係合するよう給水タンク５の前後面の下部に位置決め用凹部５４が形成されてなる。
【００４０】
この構成では、装置本体２から給水タンク５を取り外さないと、水受けトレー６が引き出せないような構造となり、ユーザーの誤使用を防止することができる。さらに、水受けトレー６を装置本体２に完全に挿入しないと、本体側の位置決め突起５２とトレー側の位置決め突起５３とが上下方向で一致しないため、給水タンク５を装着できない構造となっている。
【００４１】
また、上側のタンク保持機構５１は、図１０および図１１に示すように、装置本体２の側面板１４の上端に形成された係合爪５５と、この係合爪５５に係脱自在に係合するよう給水タンク５の左右方向で内側の面の上部に形成された係合凹部５６とから構成される。
【００４２】
この構成では、上向きの係合爪５５に下向きの係合凹部５６が上側から係合するようにして、給水タンク５を外さずに水受けトレー６を装置本体２から引き出すという誤使用をした場合でも、給水タンク５の転倒を防止できるようになっている。
【００４３】
次に、上記構成の加湿装置の動作について説明すると、給水タンク５を水受けトレー６にセットし、操作部３２の運転スイッチをＯＮにすると、例えば、加湿運転モードが実行される。加湿運転モードは、送風機４により吸込口８から吸込まれた空気が加熱体（図示略）で加温され、温度の高くなった空気が送風機室２ｂから空気導入口２１を通って加湿室２ａに送られる。加湿室２ａでは送られてきた加温空気により加湿フィルタ７の水分が蒸発し、水分を含んだ空気が加湿フィルタ７を通り、空気通路２４から空気導出口２２を経て吹出し側通路９ｂに流れ、この吹出し通路９ｂを上昇して吹出口１０から室内に放出される。
【００４４】
このとき、空気導入口２１と空気導出口２２とが加湿フィルタ７に対して対角上に配置されているので、空気導入口２１から空気導出口２２に至る経路Ｓは加湿フィルタ７の対角線上に位置する経路となり、加湿フィルタ７を通る経路が長くなる。そのため、加湿効率を向上させることができる。
【００４５】
また、加湿フィルタ７の両面に沿って空気の流れ方向で上流側の空気通路２３と下流側の空気通路２４とを配置し、空気導入口２１が上流側の空気通路２３に連通し、空気導出口２２が下流側の空気通路２４に連通しているので、空気導入口２１から送られた空気は上流側の空気通路２３に隈なく行き渡り加湿フィルタ７の上流側フィルタ面の全面から空気を通すことができる。また、加湿フィルタ７の下流側フィルタ面の全面から水分を含んだ空気を下流側の空気通路２４を通して空気導出口２２に導くことができる。したがって、加湿フィルタ７の全面を有効に機能させて加湿能力を向上させることができる。
【００４６】
さらに、給水タンク５が四角筒状に形成されているので、円筒形状の給水タンクと同じ容量を確保する場合に比べて横幅を小さくすることができ、その分、加湿フィルタの横幅を大きく取れる。したがって、加湿装置の横幅を変えずに、加湿フィルタの加湿能力を増大させることができる。逆に、加湿能力を一定に保つ場合、円筒形の給水タンクを配置する場合に比べて装置全体の横幅を小さくすることができる。このように、無駄のない部品形状、無駄のない部品配置、無駄のない構成にすることで、コンパクトな加湿装置とすることができる。
【００４７】
図６（ａ）は本実施形態の四角筒状の給水タンク５と直方体状の加湿フィルタ７を搭載した水受けトレーの平面図であり、同図（ｂ）は従来の円筒形の給水タンク１０５を使用した水受けトレー１０６の平面図を示す。図中、１０７は従来の加湿フィルタを示す。同じタンク容量の場合、断面円形の給水タンクよりも四角形の給水タンクの方が左右幅を小さく設定することができる。そのため、水受けトレー６、１０６の左右幅Ｄを変えない場合、タンク収容部６ｂの左右幅を小さくして、加湿フィルタ７の左右幅を大きくすることができる。そのため、加湿フィルタ７の面積が大きくなり、加湿能力を向上させることができる。したがって、空気を加温して加湿フィルタ７に送る加熱体を備えた加湿装置においては、加熱体による加熱量を抑えることができ、省エネ型の加湿装置を提供することができる。
【００４８】
なお、本考案は、上記実施形態に限定されるものではなく、本考案の範囲内で多くの修正変更を加えることができるのは勿論である。
【図面の簡単な説明】
【００４９】
【図１】本考案の実施形態である加湿装置の正面側から見た外観斜視図
【図２】図１の加湿装置の各構成部品を取り外す状態を背面側から見た分解斜視図
【図３】図１の加湿装置の背面側ケーシングを取り外した状態を背面側から見た斜視図
【図４】図１の加湿装置の背面側ケーシングの一部を切欠いて送風路を背面側から見た斜視図
【図５】図１の加湿装置の外郭ケーシングを取り外して送風路を背面側から見た斜視図
【図６】（ａ）は給水タンクおよび加湿フィルタを搭載した水受けトレーの平面図、同図（ｂ）は従来の円筒形の給水タンクを使用した水受けトレーの平面図
【図７】装置本体側のタンク保持機構を示す斜視図
【図８】水受けトレーの下部保持機構を示す斜視図
【図９】給水タンクの下部保持機構を示す斜視図
【図１０】給水タンクの上部保持機構を示す斜視図
【図１１】給水タンクの上部保持機構を示す斜視図
【符号の説明】
【００５０】
１    加湿装置
２    装置本体
４    送風機
５    給水タンク
６    水受けトレー
６ａ  フィルタ収容部
６ｂ  タンク収容部
７    加湿フィルタ
８    吸込口
９    送風路
９ａ  吹出し側の空気通路
１０    吹出口
１２    前面板
１３    背面板
１４    側面板
１５    上面板
１８    中仕切壁
２１    空気導入口
２２    空気導出口
２３    上流側の空気通路
２４    下流側の空気通路
３８    イオン発生装置
【図１】
0003115357.tif 000003
【図２】
0003115357.tif 000004
【図３】
0003115357.tif 000005
【図４】
0003115357.tif 000006
【図５】
0003115357.tif 000007
【図６】
0003115357.tif 000008
【図７】
0003115357.tif 000009
【図８】
0003115357.tif 000010
【図９】
0003115357.tif 000011
【図１０】
0003115357.tif 000012
【図１１】
0003115357.tif 000013